(57)【要約】    【課題】  ドアが迅速かつ円滑に閉止動作できるとともに見栄えに優れたドアの閉止制御装置を提供する。    【解決手段】  ドアを開口枠に回動開閉可能に取り付ける蝶番と、前記ドアが開口枠から開いた時、このドアに閉止方向の力を与えるクローザー手段と、このクローザー手段によってドアに与えられる閉止回動動作に対して抵抗を発生するダンパ手段とを具え、前記ダンパ手段は、ドアの吊り元に埋設された本体部と、この本体部からのび、垂直な中心軸まわりに回動する回転翼とを有し、この回転翼は、ドアの閉止回動動作の全領域の中で、開口枠内に閉まる直前の領域においてのみ開口枠に係合して閉止回動動作を抑制することを特徴とする。【選択図】  図１
2006265914.tif 000002
【特許請求の範囲】
【請求項１】
ドアを開口枠に回動開閉可能に取り付ける蝶番と、前記ドアが開口枠から開いた時、このドアに閉止方向の力を与えるクローザー手段と、このクローザー手段によってドアに与えられる閉止回動動作に対して抵抗を発生するダンパ手段とを具え、
前記ダンパ手段は、ドアの吊り元に埋設された本体部と、この本体部からのび、垂直な中心軸まわりに回動する回転翼とを有し、この回転翼は、ドアの閉止回動動作の全領域の中で、開口枠内に閉まる直前の領域においてのみ開口枠に係合して閉止回動動作を抑制することを特徴とするドアの閉止制御装置。
【請求項２】
前記ダンパ手段は、一対の蝶番片を、中心軸まわりに回動開閉可能に連結し、かつ閉止回動動作に対して抵抗力を生じるダンパ蝶番を用いて形成され、
前記ダンパ蝶番は、ドアの吊り元に形成された凹部に挿入され、該凹部から回動可能に突出する一方の蝶番片により前記回動翼が形成されることを特徴とする請求項１記載のドアの閉止制御装置。
【請求項３】
前記回動翼は、該回動翼に対し直角でかつ、開口枠に向いてのびる支持棹を有し、
開口枠内に閉まる直前の領域において、前記支持棹の先端部が、開口枠に当接することによって、回動翼が開口枠に係合することを特徴とする請求項１又は２記載のドアの閉止制御装置。
【発明の詳細な説明】
【技術分野】
【０００１】
本発明は、出入り口、間仕切開口などに装着されるドアの閉止動作を好適に制御しうるドアの閉止制御装置に関する。
【背景技術】
【０００２】
開口部に装着されたドアが開き放しなることを防止するため、従来から開口枠の上枠ａとドアｂの間に、開いたドアｂを自動的に閉止させるドア閉止装置ｃを取付けている。このドア閉止装置ｃは、例えば図８に示すように、ドアｂの上端部に取付られた横長ボックス状の駆動部ｄと、この駆動部ｄの上部に突出した付勢軸ｅに基端を固着されたドア側アームｆと、このドア側アームｆの先端部、及び前記上枠ａに設けたブラケットｇに両端部を各々枢着された枠側アームｈとを含んで構成される（例えば、特許文献１参照）。
【０００３】
このように構成されたドア閉止装置ｃは、ドアｂが開口枠から開いた時、駆動部ｄ内に組み込まれたバネが作用して前記付勢軸ｅに回転トルクが与えられる。そして、この力によって前記ドア側アームｆが回動するとともに、前記枠側アームｈとの連係によってドアｂを閉止させる。しかしこの種のドア閉止装置ｃは、駆動部ｄがドアｂの上部で露呈するとともにドア側アームｆ及び枠側アームｈが開口部の上部に突出して、機械部品様の外観が露呈するため、大変目障りとなって見栄えを損なう。特に意匠性を高めた高級ドアにおいては、その装飾性を著しく低下させる問題がある。
【０００４】
この種の問題を解決するため、バネを内蔵することにより開いたドアｂを閉止させるトルクを生じるバネ蝶番が提案されている（例えば、特許文献２参照）。このバネ蝶番は、ドアｂが開口枠から開くときバネに蓄えられる捻りエネルギーによって、ドアｂを閉止方向に回動させるものである。従ってドアが開口枠内の閉止位置に戻る時、前記バネのエネルギーに付勢されて回転速度を高めて戸当りに衝突するため、特に框組みなど重量の大きな木製ドアでは、大きな衝撃振動、衝突音を発生して屋内環境を損ね、また指詰などの危険性を伴なう。
【０００５】
そこで、ドアｂの吊り元の上下の何れか一方を前記バネ蝶番で支持するとともに、他方をオイルダンパ機構を組み込んだダンパ蝶番を用いて支持することにより、バネ蝶番による回動エネルギーを減少させ、その結果ドアｂの閉止時の衝撃を抑制することが提案されている（例えば、特許文献３参照）。
【０００６】
【特許文献１】特開２００３−１８４４１７号公報
【特許文献２】特開２００４−３００６９３号公報
【特許文献３】特公平７−１８２９１号公報
【発明の開示】
【発明が解決しようとする課題】
【０００７】
しかしながら、前記ダンパ蝶番は、ドアｂが開いた状態から開口枠内の閉止位置に至る閉止回動動作の全範囲において、バネ蝶番のバネ力に抗することによりドアｂの閉止動作を抑制するものである。従って、特に開いたドアｂが閉止回動動作をスタートする始動領域においては、双方の力が拮抗して極めて遅い速度で回動するため、閉止動作に相当の時間を必要とする。またダンパ蝶番は、閉止回動動作の全領域においてバネ蝶番のバネ力に抗した負荷を作用させて動作するために機構上のロスが多く、メカトラブルを生じ易く、トルク調整など頻繁なメンテナンスが要求される。
【０００８】
本発明は、ドアの閉止回動動作の全領域の中で、開口枠内に閉まる直前の領域においてのみ閉止回動動作を抑制するダンパ手段を設けることを基本とし、ドアが迅速かつ円滑に閉止動作できるとともに見栄えに優れたドアの閉止制御装置の提供を課題としている。
【課題を解決するための手段】
【０００９】
前記目的を達成するために、請求項１に係る発明は、ドアを開口枠に回動開閉可能に取り付ける蝶番と、前記ドアが開口枠から開いた時、このドアに閉止方向の力を与えるクローザー手段と、このクローザー手段によってドアに与えられる閉止回動動作に対して抵抗を発生するダンパ手段とを具え、前記ダンパ手段は、ドアの吊り元に埋設された本体部と、この本体部からのび、垂直な中心軸まわりに回動する回転翼とを有し、この回転翼は、ドアの閉止回動動作の全領域の中で、開口枠内に閉まる直前の領域においてのみ開口枠に係合して閉止回動動作を抑制することを特徴とする。
【００１０】
請求項２に係る発明では、前記ダンパ手段は、一対の蝶番片を、中心軸まわりに回動開閉可能に連結し、かつ閉止回動動作に対して抵抗力を生じるダンパ蝶番を用いて形成されるとともに、前記ダンパ蝶番は、ドアの吊り元に形成された凹部に挿入され、該凹部から回動可能に突出する一方の蝶番片により前記回動翼が形成され、また請求項３に係る発明においては、前記回動翼は、該回動翼に対し直角でかつ、開口枠に向いてのびる支持棹を有し、開口枠内に閉まる直前の領域において、前記支持棹の先端部が、開口枠に当接することによって、回動翼が開口枠に係合することを特徴とする。
【発明の効果】
【００１１】
請求項１に係る発明は、ドアの閉止回動動作の開口枠内に閉まる直前の領域においてのみダンパ手段の抑制が作用するため、閉止動作は全体としては迅速かつ円滑に動作しつつ、開口枠に衝突する際の衝撃が確実に緩和できるため、大変機能的に使用できる。また本体部は、ドアの吊り元に埋設されるため見栄えが優れ、高級ドアに装備した場合にもその高級感を損なうことがない。
【００１２】
請求項２に係る発明のダンパ手段は、従来から汎用されているダンパ蝶番を転用して構成するため、装置を別途設計、生産する必要がなく、低コストに構成でき、更にメンテナンスにおいても、容易にパーツを調達できて保守作業が容易となる。また請求項３に係る発明では、回動翼の回動力が、支持棹を介して開口枠に伝播されるため、開口枠内に閉まる直前のドアの閉止回動動作を確実に抑制できる。
【発明を実施するための最良の形態】
【００１３】
以下、本発明の実施の一形態を、図示例とともに説明する。図１に示すように、ドアの閉止制御装置１は、ドア２を開口枠３に回動開閉可能に取り付ける蝶番４と、ドア２を閉止させるクローザー手段５と、その閉止動作を緩衝するダンパ手段６とを具える。
【００１４】
前記開口枠３は、通常矩形をなし、上枠、左右の側枠、下枠とを含み構成される。そしてこの開口枠３は、玄関、勝手口、居室への出入口などを形成するため、建築物の外壁、間仕切壁に形成される開口の周縁部に沿い、額縁状に取付られる。なおバリアフリー仕様においては、下枠を含まない横コ字状の開口枠３が用いられる。また別途独立した枠部体を取り付けることなく、開口に臨む壁の縁部により開口枠３を形成することもできる。
【００１５】
前記ドア２は、前記開口枠３に回動開閉可能に取り付けられ、通常開口枠３と略同大の矩形板状をなす。本形態のドア２は、縦フレーム材、横フレーム材を矩形状に枠組みした外周枠の内側に補強桟を架け渡し形成された木製のパネルフレームの両側に、化粧板を添着したフラッシュパネルで形成される。そしてこの化粧板としては合板など基板上に、ナラ、サクラ、チーク、ケヤキなどを０．２〜０．６ｍｍ程度にスライスした突き板、又はポリエチレン、ポリプロピレン、エチレン酢ビ樹脂（ＥＶＡ）などオレフィン系樹脂、メラミン樹脂、ポリエステル樹脂などを用いた化粧シートを添着したものが用いられる。またフラッシュパネルのほか無垢木材、修正木材を枠状に加工し組立てた框組みの構造とすることもよい。更には、鋼板を折り曲げて形成し、又はプラスチック、アルミニウムの押出し成形材を組立てて形成することもできる。
【００１６】
前記ドア２は、前記開口枠３に蝶番４を用いて取り付けられる。本形態では図１に示すように、吊り元上部は、中心軸８廻りに各々独立して自由に回動する一対の蝶番片１０、１０が形成された普通蝶番４Ｆを用いて支持され、他方吊り元下部は、図４に示すように、コイルバネ２１を内蔵し、このコイルバネ２１の弾性力により閉止方向にドア２を付勢するスプリング蝶番４Ｓを用いて支持される。即ち本形態では、ドア２吊り元の上下２箇所が、普通蝶番４Ｆとスプリング蝶番４Ｓとから成る蝶番４を介して回動開閉可能に支持される。
【００１７】
前記スプリング蝶番４Ｓは、中心軸８まわりに各々独立して回動可能に形成された上下の筒体２２Ｕ、２２Ｄと、この上下の筒体２２Ｕ、２２Ｄに各々一体に形成された上、下の蝶番片１０Ｕ、１０Ｄと、前記上の筒体２２Ｕ内に上下スライド可能に配され、かつ係合片４１が上の筒体２２Ｕの縦のスリット４７に係合することにより、上の筒体２２Ｕとともに回動するスライドカム軸２３と、前記下の筒体２２Ｄ内に固定された固定カム軸２４と、上の筒体２２Ｕ内に配されて前記スライドカム軸２３を下方に付勢するコイルバネ２１とを含み構成されたものを例示している。前記スライドカム軸２３の下端、これに向き合う固定カム軸２４の上端には、鏡面仕上げされて互いに面接触する傾斜カム面２３Ｆ、２４Ｆが形成されている。
【００１８】
このように構成されたスプリング蝶番４Ｓは、ドア２を回動させて開口枠３から開くと、図４に示すように、上の筒体２２Ｕと共に回動するスライドカム軸２３は、傾斜カム面２３Ｆ、２４Ｆの作用によって、コイルバネ２１のバネ力に抗して上昇する。そしてこの開いた状態で手を放すと、コイルバネ２１のバネ力及び傾斜カム面２３Ｆ、２４Ｆの作用により、スライドカム軸２３が回動しながら下方の元位置に復帰する力が発生し、これによりドア２が開口枠３内の閉止位置に戻って、開口が閉められる。このようにスプリング蝶番４Ｓは、開口枠３から開いたドア２を閉止方向へ付勢するクローザー手段５を形成する。なおクローザー手段５は、前記スプリング蝶番４Ｓの他、公知のドアチェックを用いて構成することもできる。
【００１９】
前記ダンパ手段６は、クローザー手段５によって生じるドア２の閉止回動動作に抵抗を与えることにより、加速度的に開口枠に衝突することを防止するものであり、本形態では、ダンパ蝶番１１を用いて構成される。このダンパ蝶番１１は、図３に示すように、垂直な中心軸８まわりに回動可能に連結された上下の円筒状体２６Ｕ、２６Ｄと、この上下の円筒状体２６Ｕ、２６Ｄに各々一体に形成された上、下の蝶番片１０Ｕ、１０Ｄとを含み構成されている。前記上の円筒状体２６Ｕは、キー３２を介して、中心軸８に対し回動不能に取り付けられ、他方下の円筒状体２６Ｄは、軸受座３３を介して、中心軸８に対し回動可能に支持され、しかも上下の円筒状体２６Ｕ、２６Ｄの間にボールベアリング２７が挟装されるため、上下の円筒状体２６Ｕ、２６Ｄは円滑に回動しうる。
【００２０】
更に前記下の円筒状体２６Ｄには、その内部に油圧ダンパ機構２８を備える。この油圧ダンパ機構２８は、底面の中央に戻り孔２９を有する有底円筒状のピストン３０と、上部が前記中心軸８の中央に螺合するとともに下部に下に向かい漸次拡径するテーパ部３８を形成し、かつこのテーパ部３８が前記戻り孔２９に挿入された縦丸棒状の調整軸３１とを含み構成される。
【００２１】
前記ピストン３０は、中心軸８に上下動可能かつ、キー３４を介することによって回動不能に外嵌し、かつ下の円筒状体２６Ｄの内周面に螺合することによりこの円筒状体２６Ｄの回動に連動して円筒状体２６Ｄ内を上下動するように構成される。またピストン３０の底面には、前記戻り孔２９と並んで、縦方向の送り孔３５が形成され、この送り孔３５は、下方に拡径部３６を有し、この拡径部３６内には球状の逆止弁３７が収容される。また下の円筒状体２６Ｄ内部で前記ピストン３０よりも下方には、下のオイル室３９が形成され、他方ピストン３０よりも上方４０Ａ及びピストンの内側４０Ｂには、上のオイル室４０が形成される。なおピストン３０の上方４０Ａとピストンの内側４０Ｂとは図示されない経路により連通している。
【００２２】
このように構成されたダンパ蝶番１１は、通常前記スプリング蝶番４Ｓと上下に対をなしてドア２に取り付けられる。そしてスプリング蝶番４Ｓの弾性に抗してドア２が開く時、これに連動するダンパ蝶番１１は、上下の円筒状体２６Ｕ、２６Ｄが相対的に回動することにより、前記ピストン３０は下の円筒状体２６Ｄ内を上昇する。この時、上のオイル室４０内のオイルは逆止弁３７を押し下げて下のオイル室３９内に移動し、図３に示されるように、上、下の蝶番片１０Ｕ、１０Ｄが開いた状態に至る。逆にスプリング蝶番４Ｓの付勢によりドアが閉止する時には、ピストン３０の下降により、下のオイル室３９内のオイルの圧力が高まるが、逆止弁３７が送り孔３５を閉じるため送り孔３５から上のオイル室４０に戻ることが阻止される。そこで高圧化するオイルは、戻り孔２９の調整軸３１周囲に残された細い隙間から上のオイル室４０へ還流するが、その流動抵抗が大きく作用してピストン３０の下降動作が抑制される。ダンパ蝶番１１はこのようにして、ドアの閉止回動動作に対して抵抗を与え、スプリング蝶番４Ｓに付勢されたドアが加速度的に回転を高めることを抑制する。
【００２３】
なお、前記調整軸３１のテーパ部３８と戻り孔２９との隙間は、ピストン３０の下降に伴ない漸減して、ドアの戻りに比例して前記抵抗を増加させるため、ドアの加速度を有効に抑制できる。またこの抵抗負荷の大きさは、中心軸８に螺合した調整軸３１を回転操作して昇降させることにより調整できる。
【００２４】
本発明において前記ダンパ蝶番１１は、図２に示すように、ドア２の吊り元の上端面に形成された凹部１２に挿入される。この凹部１２は、上下の円筒状体２６Ｕ、２６Ｄを挿入する丸穴１２Ａと、この丸穴１２Ａからのびるとともに下の蝶番片１０Ｄを挿入する縦のスリット１２Ｂと、前記丸穴１２Ａ上部の一側を扇状に切り欠いた切欠部１２Ｄとを含み構成される。そしてこの凹部１２に挿入されたダンパ蝶番１１は、図１に示すように、その上の蝶番片１０Ｕが該凹部１２から突出し、かつ前記切欠部１２Ｄの開き角度の範囲内で自由に回動できる。このように本形態のダンパ蝶番１１においては、凹部１２に埋設される上下の円筒状体２６Ｕ、２６Ｄ及び下の蝶番片１０Ｄによって、前記ダンパ手段６の本体部７が形成され、上の蝶番片１０Ｕによって回転翼９が形成される。
【００２５】
更に前記上の蝶番片１０Ｕは、図２、５に示すように、この上の蝶番片１０Ｕに対し直角で、かつ開口枠３に向けてのびる支持棹１３が突設される。なおこの支持棹１３は、上の蝶番片１０Ｕに挿通されるネジ４３により固着される。
【００２６】
また前記支持棹１３は、その先端部にローラ４２が枢支され、ドア２の閉止時には、図７に示すように、上の蝶番片１０Ｕは前記ローラ４２を介して開口枠３に係合する。また上の蝶番片１０Ｕの反対側には、前記支持棹１３を固着したネジ４３により固着されて、切欠部１２Ｄの斜め側面４４に向けてのびる小バネ４５が突設される。
【００２７】
しかして、図１、５に示すように、ドア２が開口枠３から開けられた時には、前記ダンパ蝶番１１の支持棹１３先端が開口枠３から離れるため、前記小バネ４５により上の蝶番片１０Ｕが吊り元側に向けて付勢されて回動し、支持棹１３先端部がドア２の吊り元の側面よりも外側に突出するとともに、前記下の円筒状体２６Ｄ内ではピストン３０が上昇する。ついで手を放すとドア２は、前記スプリング蝶番４Ｓに付勢されて開口枠３内に向けて回動する。図６に示すように、開口枠３内に閉まる直前までドア２が回動すると、支持棹１３先端のローラ４２が開口枠３に当接することによりダンパ蝶番１１の上の蝶番片１０Ｕが支持棹１３を介して開口枠３に係合し、それ以上の閉止回動動作が抑制される。即ち、図６に示される当接位置から図７に示されるドア２が開口枠３内に閉まる位置に至る、閉止直前の回動領域においては、前記スプリング蝶番４Ｓのバネ力が、前記ダンパ蝶番１１の抵抗力により減殺されるため、ドア２の閉止回動動作が減速し、その結果開口枠３に衝突する際の衝撃が緩和される。しかも、ドア２が開口枠３に近づいた領域でのみ、回動速度が減速するため、全体としての閉止は迅速に動作する。
【００２８】
また上の蝶番片１０Ｕ及び支持棹１３以外の本体部分は、ドア２の吊り元部分の凹部１２に埋設されて、装置部分が露呈しないため見栄えが良く、高級ドアに装備してもその高級感を損なうことがない。更に本形態では、従来から使用され一般に流通するダンパ蝶番１１を採用するため、装置を別途設計製造することなく、低コストで使用できる上、メンテナンスにおいても修理部品を簡単に入手できるため、保守作業が容易となる。
【００２９】
更に本形態の上の蝶番片１０Ｕは、支持棹１３を介して開口枠３に係合するため、開口枠３内に閉まる直前のドア２の回動動作を確実に支持抑制しうる。また前記小バネ４５は、その先端に半球状のキャップ４６が取り付けられるため、小バネ４５の先端が切欠部１２Ｄの斜め側面４４に引っ掛かることなくスムースに動作できる点で好ましい。
【００３０】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３１】
【図１】本発明の一実施の形態を例示する斜視図である。
【図２】その要部分解斜視図である。
【図３】ダンパ蝶番の縦断面図である。
【図４】スプリング蝶番の縦断面図である。
【図５】ドアが開口枠から開いた状態を示す要部平面図である。
【図６】ドアの閉止動作の過程を説明する要部平面図である。
【図７】ドアの閉止状態を示す要部平面図である。
【図８】従来例を示す斜視図である。
【符号の説明】
【００３２】
１      ドアの閉止制御装置
２      ドア
３      開口枠
４      蝶番
５      クローザー手段
６      ダンパ手段
７      本体部
８      中心軸
９      回転翼
１０      蝶番片
１１      ダンパ蝶番
１２      凹部
１３      支持棹
【図１】
2006265914.tif 000003
【図２】
2006265914.tif 000004
【図３】
2006265914.tif 000005
【図４】
2006265914.tif 000006
【図５】
2006265914.tif 000007
【図６】
2006265914.tif 000008
【図７】
2006265914.tif 000009
【図８】
2006265914.tif 000010